(57)【要約】【課題】帯をしっかりと締めて押さえることのできる実用性とともに、多様且つ高い装飾性とを兼ね備える二部式の帯締めを提供する。【解決手段】帯１１に巻き回され、その帯１１を締め押さえる帯締め本体２と、この帯締め本体２に飾り結び等の方法で結びつけられる装飾用紐３とからなる。これら帯締め本体２と装飾用紐３とで構成される帯締め１は、帯１１を押さえるに際して、帯締め本体２を帯１１上で固く結ぶとともに、その結び目を帯１１のお太鼓部分１２の下に位置させて隠す。そして、着用者正面の略中央の帯締め本体２に装飾用紐３を結びつける。【選択図】  図３
2004315989.tif 000002
【特許請求の範囲】
【請求項１】
帯の上に巻き回されて該帯を締め押さえる帯締め本体と、
上記帯締め本体に結びつけられ、該帯締め本体の装飾を成す装飾用紐とからなることを特徴とする二部式帯締め。
【請求項２】
表面に装飾材が配された装飾部と該装飾部の両端に位置して設けられた結び紐とで構成され、帯の上に巻き回されて該帯を締め押さえる帯締め本体と、
表面に装飾材が配されてなり、上記帯締め本体に結びつけられて該帯締め本体の装飾を成す装飾用紐とからなることを特徴とする二部式帯締め。
【発明の詳細な説明】
【０００１】
【発明の属する技術分野】
本発明は、和服の帯を締めて押さえる帯締めに関し、特に帯を締め押さえるという実用面に特化した部分と、装飾面に特化した部分とを分離させた二部式の帯締めに関する。
【０００２】
【従来の技術】
和服を着用する際には、帯の上から帯締めが締められ、この帯締めによって帯が押さえられるが、このような帯締めには三分紐と呼ばれる細いタイプの帯締めと、この三分紐に比して太いタイプの帯締めとが従来から提供されている。細いタイプの帯締めは、三分紐という呼び名の通り、幅が三分（約１ｃｍ）の細い紐であり、長さが約１２５ｃｍ、厚みが２ｍｍ程度とされている。また、太いタイプの帯締めは、その幅に制限はないが１ｃｍ以上のものが多い。そして、この太いタイプの帯締めは、組み紐タイプであれば厚みは５ｍｍ以上（平打の場合には２ｍｍ以上）、丸くげタイプであれば円周２ｃｍ以上のものが一般的であり、長さは様々な胴回りのサイズに対応し得るように房の部分を除いて１５０ｃｍ以上と上記細いタイプの帯締めに比して長めとされている。
【０００３】
上述した各タイプの帯締めには、帯を締め押さえ得る丈夫さという実用性とともに、和服における装いのアクセントとなり得るような装飾性が求められている。このため、従来の帯締め、特に太いタイプの帯締めは、上記装飾性の観点から、長めに形成されていることを利用して、結んで余った紐で種々の飾り結びを施して装飾性を高めることが一般的に行われている。また、太いタイプの帯締めは、同様に装飾性の観点から、紐の表面にビーズ等の装飾材が配されたものが提供されている。
【０００４】
また、細いタイプの帯締めにあっては、装飾性を付加するために、帯留めを使用するということが従来から慣習として行われている。
【０００５】
【発明が解決しようとする課題】
しかしながら、上述したような太いタイプの帯締めでは、飾り結びをしない場合、例えば他の装飾用の帯留め等を使用する場合には長さが長過ぎ、結び目の部分で紐が余りすぎてしまう。このような場合には、結び目部分を背後に回し、着物のお太鼓部分の下に隠しているが、動いている途中に余った紐が飛び出てしまう等、装飾性を付加するはずの帯締めが、かえって装飾性を損ねてしまうことがあるという問題がある。
【０００６】
また、上述したようなビーズ等の装飾材が紐の表面に配された帯締めにあっては、しっかりと結ぶためにきつく締めつけた場合、表面の装飾材が破損したり脱落したりして、やはり装飾性を損ねてしまうことがあるという問題がある。一方、このような装飾材の破損等が生じないように従来の装飾材付きの帯締めを使用する場合、今度はしっかりと結ぶことが困難となり、帯を押さえるための丈夫さに欠けるという問題がある。
【０００７】
さらには、細いタイプの帯締めにあっては、上述した慣習上用いられる帯留めだけでなく、上記太いタイプと同様に飾り結び等の紐の結びによる装飾も実現したいという要望もある。
【０００８】
そこで、本発明は、帯をしっかりと締めて押さえることのできる実用性とともに、多様且つ高い装飾性とを兼ね備える二部式帯締めを提供することを目的とする。
【０００９】
【課題を解決するための手段】
上述した目的を有する本発明に係る二部式帯締めは、帯の上に巻き回されて該帯を締め押さえる帯締め本体と、上記帯締め本体に結びつけられ、該帯締め本体の装飾を成す装飾用紐とからなることを特徴とする。
【００１０】
上述した本発明に係る二部式帯締めは、帯を締め押さえるための帯締め本体から帯締めの装飾となる装飾用紐を分離して構成する。そして、帯締め本体に対して装飾用紐を結びつけることによって帯締め自体に高い装飾性を付加する。
【００１１】
したがって、本発明によれば、太いタイプの帯締めの場合には、帯を締め押さえるための部分、具体的には帯締め本体は帯を締め押さえるのに必要十分な長さとすればよく、上記従来のように余分な紐が多く余ることがなくなり、この余った紐によって装飾性を損なうことが防止される。
【００１２】
また、本発明によれば、装飾用紐を帯び押さえと分離する構成としたことで、帯締め本体に対して種々の装飾用紐を付け替えることが可能となる。このため、その組み合わせによってより多様且つ高い装飾性を帯締めに付加することが可能となる。特に、細いタイプの帯締めの場合には、慣習上利用されている帯留めに代えて装飾用紐を結びつけることで、多様な装飾が可能となる。
【００１３】
本発明に係る他の二部式帯締めは、表面に装飾材が配された装飾部と該装飾部の両端に位置して設けられた結び紐とで構成され、帯の上に巻き回されて該帯を締め押さえる帯締め本体と、表面に装飾材が配されてなり、上記帯締め本体に結びつけられて該帯締め本体の装飾を成す装飾用紐とからなることを特徴とする。
【００１４】
上述した構成を有する本発明に係る二部式帯締めは、帯締め本体が、装飾材が配された装飾部と、紐のみからなる結び紐とから構成されている。このため、帯を締め押さえる際には、上記結び紐によって結びつけられる。
【００１５】
したがって、本発明によれば、装飾性の向上の観点から帯締め本体の表面に取り付けられる装飾材を破損等させることなく、且つしっかりと帯締め本体を結ぶことが可能とされる。
【００１６】
【発明の実施の形態】
以下、本発明の具体的な実施の形態について図面を参照しながら詳細に説明する。
【００１７】
帯締め１は、図１に示すように、和服の帯１１の上から締めて、この帯１１を解けないように押さえるものである。そしてこの帯締め１は、同図及び図２に示すように、実際に帯び１１を締めて押さえる帯締め本体２と、該帯締め本体２に対して結びつけられて帯締め１の装飾を成す装飾用紐３とからなる二部式の帯締めである。
【００１８】
帯締め本体２は、上記装飾用紐３に比して長尺な紐であり、例えば帯１１の上から締めるのに適した１３０ｃｍ程度の長さとされる。この紐本体２の両端部には、装飾としての房４が設けられている。
【００１９】
装飾用紐３は、上述したように上記帯締め本体２よりも短く、例えば５０ｃｍ程度の長さとされる。この装飾用紐３は、上記帯締め本体２と同様に、その両端部には装飾としての房５が設けられている。
【００２０】
このような帯締め１において、帯締め本体２と装飾用紐３とする紐は、特に限定されるものではなく、三分紐と呼ばれる細いタイプの紐でも、該三分紐に比して太いタイプの紐でもよい。また、その種類も、例えば絹糸、シノン糸等種々の糸からなる組み紐でも、或いはくけ紐でもよい。さらに、組み紐である場合には、断面形状が丸い「丸組」や、断面形状が四角い「角打」、扁平な「平打」等の何れであってもよい。
【００２１】
また、それぞれの両端部に設けられる房４、５に代えて、両端部部分を模様織り等の装飾を設け、或いは装飾用の金具等を取り付けるようにしてもよい。
【００２２】
上述した構成の帯締め１は、帯１１を押さえるに際しては、図１及び図３に示すように、帯締め本体２を帯１１上に巻き回して締めて、固く結びつける。このとき、帯締め本体２の結び目は、和服の着用者（以下、単に着用者と称する。）の背中に位置する帯１１のお太鼓部分１２の下に位置させて隠す。そして、着用者正面の略中央の帯締め本体２に装飾用紐３を結びつける。この装飾用紐３は、装いのアクセントとしての装飾性を帯締め本体２に、そして帯締め１自体に付加するものであり、高い装飾性を奏するように、例えば種々の飾り結び等によって帯締め本体２に結びつける。
【００２３】
このような帯留め１にあっては、上述のように二部式とされ、帯締め本体２に装飾用紐３を結びつけるよう構成されていても、図１及び図３に示すように、従来の１本タイプの帯締めと外観上何ら変わりがなく和服に装飾性を付加することができ、和服における着付けの美しさを損なうものではない。
【００２４】
また、帯締め１にあっては、帯１１を締め押さえる帯締め本体２と、この帯締め本体２に装飾性を付加する装飾用紐３とを分離した二部式とすることで、帯締め本体２を従来に比して、帯１１を締めるのに必要十分な長さに短くすることができる。すなわち、従来の太いタイプの帯締めにあっては、帯の締め押さえ及び着用者正面の装飾が１本の紐で行われていたため、飾り結び等を着用者正面にて行わない場合には、本来なら装飾部分を構成するはずの余った紐がお太鼓部分１２から飛び出てしまう等の着物の装飾性を損なうような問題が生じていた。しかしながら、本発明を適用した帯締め１の如く、帯１１を締め押さえる帯締め本体２を装飾部分と分離させたことで、余る紐が少なくなり、上記従来のように問題が生じることが無くなる。そして、帯締め本体２は、帯１１を締めるのに必要十分な長さは有しているため、帯１１を押さえ得るようしっかり結ぶことができる実用上の丈夫さも備えている。
【００２５】
さらに、帯締め１は、上述のように帯１１を締め押さえる帯締め本体２を装飾部分たる装飾用紐３と分離させているため、帯締め本体２に対して種々の柄、組み方等の装飾用紐を付け替えることができるようになる。したがって、帯締め１によれば、一の帯締め本体２で多様な装飾を楽しむことができるようになる。特に、細いタイプの帯締めであっても、従来慣習上用いられてきた帯留め以外の装飾を楽しむことができるようになる。
【００２６】
なお、上述した帯締め１にあっては、帯締め本体２に装飾性を付加するために装飾用紐３を用いているが、上述したようにこの装飾用紐３は付け替え自由なものであるため、この装飾用紐３に代えて、従来の三分紐に慣習上用いられているような陶製、金属製、ガラス製、合成樹脂製等の帯留めを使用してもよい。
【００２７】
次に、本発明を適用した他の構成の帯締めについて説明する。
【００２８】
帯締め２１は、図４に示すように、上記帯締め１と同様に、帯締め本体２２と装飾用紐２３とからなる二部式の帯締めである。
【００２９】
帯締め本体２２は、上記装飾用紐２３に比して長尺な紐であり、装飾部２２ａと、この装飾部２２ａの両端に位置する結び紐部２２ｂとからなる。装飾部２２ａは、同図及び図５に示すように、上記のように帯締め本体２２の一部であって、その表面に装飾材、本例においては複数のビーズ２２ｃが配されてなる。この装飾部２２ａは、例えば本例のようにビーズ２２ｃを通した糸を編み込んで方形状のビーズ群としたものを、上記結び紐部２２ｂとなる紐の表面に巻きつけることによって形成される。結び紐部２２ｂは、上述したビーズ群から飛び出ている紐からなるものである。このような構成の帯締め本体２２にあっては、ビーズ群が紐にしっかり巻き付けられることによって、装飾部２２ａがぴったりと固定される。なお、図４にあっては、巻きつけたビーズ群の内側に配された紐の状態を示すために、装飾部２２ａの全面にビーズ２２ｃがあるように表していないが、実際には図５に示すようにビーズ２２ｃが装飾部２２ａの全面に亘って配されている。
【００３０】
装飾用紐２３は、上記帯締め本体２２と同様に、紐の表面にビーズが配されるものであり、芯材となる紐部２３ａと、この紐部２３ａの表面に装飾材としての複数の複数のビーズが配された装飾部２３ｂとにより構成されている。この装飾用紐２３においては、上記帯締め本体２２における装飾部２２ａと異なり、紐部２３ａの一端側から他端側の全域を覆うように上記装飾部２３ｂが設けられている。なお、図４にあっては、装飾部２３ｂ内に配された紐の状態を示すために、装飾部２３ｂ表面のビーズを表していないが、実際には図５に示す帯締め本体２２の装飾部２２ａと同様に、ビーズが装飾部２３ｂの全面に亘って配されている。
【００３１】
なお、本実施形態では、帯締め２１における装飾材として複数のビーズを使用した例について説明しているが、このような構成に限定されるものではなく、その他の装飾材、例えばスパンコール等を使用するものであってもよい。
【００３２】
また、帯締め２１を構成する各紐、具体的には帯締め本体２２にて結び紐２２ｂを構成する紐や装飾用紐２３にて紐部２３ａに使用される紐は、上述した帯締め１と同様に、その太さや種類等が特に限定されるものではない。
【００３３】
このような構成の帯締め２１は、詳しい図示は省略するが第１の実施形態に係る帯締め１と同様に帯に装着される。すなわち、帯締め本体２２を帯上に巻き回して固く結びつけ、その帯締め本体２２に対して装飾用紐２３が結びつけられる。
【００３４】
この帯締め２１にあっては、上述の帯締め１と同様の効果に加え、帯を締め押さえる際に、表面に装飾材が配されていない紐のみからなる結び紐部２２ｂで帯締め本体２２が結ばれるため、しっかりと結ぶことができ、実用上の丈夫さを確保することができるようになる。このようにしっかり結んだ場合であっても、上述したように結び紐部２２ｂには装飾部２２ａの如くビーズ２２ｃが配されていないため、ビーズ２２ｃの破損や、ビーズ２２ｃの脱落等の問題が生じることが無くなる。
【００３５】
また、帯締め２１にあっては、上述したように帯締め本体２２を、装飾材（ビーズ２２ｃ）が配されていない紐のみからなる結び紐部２２ｂを有する構成としても、この結び紐部分２２ｂは帯に取り付けた際にお太鼓部分の下に隠れ、着物正面には装飾部２２ａが位置するようになるため、和服の装飾性を損なうものとはならない。
【００３６】
さらに、装飾用紐２３の帯締め本体２２への結びつけは、上記帯締め本体２２の帯を押さえるための結びと異なり、それほど強固に成されないため、紐部２３ａの全域をビーズが配された装飾部２３ｂで覆うものであっても、上記従来のようなビーズの破損や脱落等は生じない。
【００３７】
なお、本発明は、上述した構成例に限定されるものではなく、その趣旨を逸脱しない範囲で適宜変更が可能であることはいうまでもない。例えば、上述した各実施形態における各帯締めを構成する紐に代えて金属製や合成樹脂製等の鎖を用いてもよい。
【００３８】
【発明の効果】
以上、詳細に説明したように、本発明に係る二部式帯締めでは、太いタイプの帯締めであっても、帯を締め押さえるための部分である帯締め本体を、帯を締め押さえるのに必要十分な長さとすることができ、これにより従来のように余分な紐が多く余ることがなくなる。このため、本発明によれば、余った紐によって装飾性を損なうことを防止することができ、より高い装飾性を発揮することができるようになる。
【００３９】
また、本発明によれば、装飾用紐を帯び押さえと分離して二部式となる構成としたため、帯締め本体に対して種々の装飾用紐を付け替えることが可能となり、その組み合わせによってより装飾性を高めることができる。特に、細いタイプの帯締めであっても、慣習上利用されている帯留めに代えて装飾用紐を結びつけることで、多様な装飾を実現することができる。
【００４０】
さらに、本発明では、装飾材が配された装飾部を帯締め本体に設けた場合に、装飾部の両端に紐のみからなる結び紐を設けることで、この結び紐によって帯にしっかりと結びつけ留ことができるようになる。このため、本発明によれば、装飾性の向上の観点から帯締め本体の表面に取り付けられる装飾材を破損等させて装飾性を損なうことなく、且つしっかりと帯締め本体を結ぶことで実用に耐え得る丈夫さを得ることができる。
【図面の簡単な説明】
【図１】帯上に装着された帯締めを示す図である。
【図２】同帯締めを分離して示す図である。
【図３】同帯締めの帯に対する装着状態を説明するための図である。
【図４】他の構成を有する帯締めを分離して示す図である。
【図５】同帯締めを構成する帯締め本体の要部拡大斜視図である。
【符号の説明】
１  帯締め，２  帯締め本体，３  装飾用紐，４、５  房，１１  帯，２１  帯締め，２２  帯締め本体，２２ａ  装飾部，２２ｂ  結び紐部，２２ｃ  ビーズ，２３  装飾用紐，２３ａ  紐部，２３ｂ  装飾部
【図１】
2004315989.tif 000003
【図２】
2004315989.tif 000004
【図３】
2004315989.tif 000005
【図４】
2004315989.tif 000006
【図５】
2004315989.tif 000007